(57)【要約】【課題】用途の多様化を図る。【解決手段】発光ユニット１は、複数の入力端子１３〜１５同士の接続状態を２つの接続状態に切り換える切換部１２を備える。切換部１２は、１つの電源装置２Ａから複数の入力端子１３，１５を介して複数の光源モジュール１０，１１へ給電可能とする接続状態を有する。また、この切換部１２は、複数の電源装置２Ｂから複数の入力端子１３〜１５を介して複数の光源モジュール１０，１１へ各別に給電可能とする接続状態を有する。そして、切換部１２は、前記２つの接続状態を択一的に切り換えるように構成される。発光ユニット１は、１つの電源装置２Ａで全ての光源モジュール１０，１１を点灯させるような用途と、複数の光源モジュール１０，１１を複数の電源装置２Ｂで各別に点灯させるような用途とに用いられることができる。【選択図】        図１
2015118894.tif 000002
【特許請求の範囲】
【請求項１】
固体発光素子を光源とする複数の光源モジュールと、前記複数の光源モジュールの正極及び負極と各別に接続される複数の入力端子と、前記複数の入力端子同士の接続状態を２つの接続状態に切り換える切換部とを備え、
前記切換部は、１つの電源装置から前記複数の入力端子を介して前記複数の光源モジュールへ給電可能とする前記接続状態と、複数の前記電源装置から前記複数の入力端子を介して前記複数の光源モジュールへ各別に給電可能とする前記接続状態とを択一的に切り換えるように構成されることを特徴とする発光ユニット。
【請求項２】
前記切換部は、１組の前記入力端子に対して、複数の前記光源モジュールの正極同士及び負極同士が並列に接続される前記接続状態と、複数の前記入力端子に対して、複数の前記光源モジュールがそれぞれ各別に接続される前記接続状態とを択一的に切り換えるように構成されることを特徴とする請求項１記載の発光ユニット。
【請求項３】
前記切換部は、１組の前記入力端子に対して、複数の前記光源モジュールの正極同士及び負極同士が直列に接続される前記接続状態と、複数の前記入力端子に対して、複数の前記光源モジュールがそれぞれ各別に接続される前記接続状態とを択一的に切り換えるように構成されることを特徴とする請求項１記載の発光ユニット。
【請求項４】
請求項１〜３の何れかの発光ユニットと、前記発光ユニットの前記入力端子に接続される１乃至複数の前記電源装置とを有することを特徴とする照明装置。
【発明の詳細な説明】
【技術分野】
【０００１】
本発明は、固体発光素子を光源とする発光ユニット、及び当該発光ユニットを有する照明装置に関する。
【背景技術】
【０００２】
従来例として、特許文献１に記載されている道路照明用の照明装置(ＬＥＤ照明灯)を例示する。
【０００３】
特許文献１記載の従来例は、２つのＬＥＤユニットと、一方のＬＥＤユニットに給電して点灯する専用電源と、他方のＬＥＤユニットに給電して点灯する専用電源とを備える。この従来例は、一方のＬＥＤユニット又は一方の専用電源に何らかの異常が生じて点灯不能となった場合にも、他方のＬＥＤユニット及び専用電源が正常であれば、道路照明を継続することができるように構成されている。
【先行技術文献】
【特許文献】
【０００４】
【特許文献１】特開２０１１−８１９１９号公報
【発明の概要】
【発明が解決しようとする課題】
【０００５】
ところで、上述のＬＥＤ照明灯に用いられる発光ユニットは、ＬＥＤ照明灯に特化されているため、他の用途の照明装置に用いられ難かった。
【０００６】
本発明は、上記課題に鑑みて為されたものであり、用途の多様化を図ることを目的とする。
【課題を解決するための手段】
【０００７】
本発明の発光ユニットは、固体発光素子を光源とする複数の光源モジュールと、前記複数の光源モジュールの正極及び負極と各別に接続される複数の入力端子と、前記複数の入力端子同士の接続状態を２つの接続状態に切り換える切換部とを備え、前記切換部は、１つの電源装置から前記複数の入力端子を介して前記複数の光源モジュールへ給電可能とする前記接続状態と、複数の前記電源装置から前記複数の入力端子を介して前記複数の光源モジュールへ各別に給電可能とする前記接続状態とを択一的に切り換えるように構成されることを特徴とする。
【０００８】
この発光ユニットにおいて、前記切換部は、１組の前記入力端子に対して、複数の前記光源モジュールの正極同士及び負極同士が並列に接続される前記接続状態と、複数の前記入力端子に対して、複数の前記光源モジュールがそれぞれ各別に接続される前記接続状態とを択一的に切り換えるように構成されることが好ましい。
【０００９】
この発光ユニットにおいて、前記切換部は、１組の前記入力端子に対して、複数の前記光源モジュールの正極同士及び負極同士が直列に接続される前記接続状態と、複数の前記入力端子に対して、複数の前記光源モジュールがそれぞれ各別に接続される前記接続状態とを択一的に切り換えるように構成されることが好ましい。
【００１０】
本発明の照明装置は、前記何れかの発光ユニットと、前記発光ユニットの前記入力端子に接続される１乃至複数の前記電源装置とを有することを特徴とする。
【発明の効果】
【００１１】
本発明の発光ユニット及び照明装置は、複数の入力端子同士の接続状態を２つの接続状態に切り換える切換部を備える。この切換部は、１つの電源装置から複数の入力端子を介して複数の光源モジュールへ給電可能とする接続状態を有する。また、この切換部は、複数の電源装置から複数の入力端子を介して複数の光源モジュールへ各別に給電可能とする接続状態を有する。そして、切換部は、前記２つの接続状態を択一的に切り換えるように構成される。したがって、本発明の発光ユニット及び照明装置は、１つの電源装置で全ての光源モジュールを点灯させるような用途と、複数の光源モジュールを複数の電源装置で各別に点灯させるような用途とに用いられる。その結果、本発明の発光ユニット及び照明装置は、従来例と比較して、用途の多様化を図ることができるという効果がある。
【図面の簡単な説明】
【００１２】
【図１】本発明に係る発光ユニット及び照明装置の実施形態１を示し、Ａは、電源装置が１つの場合のブロック図、Ｂは、電源装置が２つの場合のブロック図である。
【図２】本発明に係る発光ユニット及び照明装置の実施形態２を示し、電源装置が１つの場合のブロック図である。
【図３】同上の電源装置が２つの場合のブロック図である。
【図４】本発明に係る発光ユニット及び照明装置の実施形態３を示し、電源装置が１つの場合のブロック図である。
【図５】同上の電源装置が２つの場合のブロック図である。
【発明を実施するための形態】
【００１３】
以下、本発明に係る発光ユニット及び照明装置の実施形態について、図面を参照して詳細に説明する。
【００１４】
(実施形態１)
本実施形態の照明装置は、図１Ａ，図１Ｂに示すように発光ユニット１と電源装置２(２Ａ又は２Ｂ)とを備える。
【００１５】
発光ユニット１は、複数(図示例では２つ)の光源モジュール１０，１１と、切換部１２と、複数(図示例では３つ)の入力端子１３，１４，１５とを有する。
【００１６】
光源モジュール１０は、複数個(図示例では３個)の固体発光素子(発光ダイオード１００)の直列回路からなり、アノード側が正極となり、カソード側が負極となる。同じく、光源モジュール１１は、複数個(図示例では３個)の固体発光素子(発光ダイオード１１０)の直列回路からなり、アノード側が正極となり、カソード側が負極となる。また、これら２つの光源モジュール１０，１１は、互いの負極同士が入力端子１５に並列接続されている。なお、各光源モジュール１０，１１は、定格電圧や定格電流などの電気的特性が同一であることが好ましいが、電気的特性が同一でなくても構わない。
【００１７】
切換部１２は、従来周知の光絶縁型の半導体リレーからなる。切換部１２は、発光素子(発光ダイオード)１２１と、発光素子１２１の発光状態に対応して開閉するリレー接点１２０とを有する。すなわち、切換部１２は、発光素子１２１が発光しているときにリレー接点１２０が開成(オフ)し、且つ発光素子１２１が発光していないときにリレー接点１２０か閉成(オン)するように構成される。また、発光素子１２１のカソードが一方の光源モジュール１１の正極に接続され、発光素子１２１のアノードが入力端子１４に接続される。さらに、リレー接点１２０の一端が一方の光源モジュール１０の正極と入力端子１３に接続され、リレー接点１２０の他端が他方の光源モジュール１１の正極に接続される。
【００１８】
電源装置２(２Ａ及び２Ｂ)は、例えば、商用の交流電源(図示せず)から供給される交流電力を直流電力に変換するＡＣ／ＤＣコンバータ、ＡＣ／ＤＣコンバータから出力される直流電力を所望の電圧の直流電力に変換するＤＣ／ＤＣコンバータなどで構成される。ただし、このような電源装置２は従来周知であるから、詳細な構成の図示並びに説明は省略する。なお、一方の電源装置２Ａは、他方の電源装置２Ｂのほぼ２倍の電流容量(定格出力電流)を有している。
【００１９】
ここで、２種類の電源装置２Ａ，２Ｂは、以下のようにして使い分けされる。すなわち、電流容量の大きい方の電源装置２Ａは、図１Ａに示すように正極が発光ユニット１の入力端子１３に接続され、負極が発光ユニット１の入力端子１５に接続される。ただし、発光ユニット１の入力端子１４は何も接続されない。
【００２０】
発光ユニット１は、電源装置２Ａから入力端子１３，１５間に直流電圧が印加される。そして、発光ユニット１は、入力端子１３→光源モジュール１０→入力端子１５の経路と、入力端子１３→リレー接点１２０→光源モジュール１１→入力端子１５の経路とで電流が流れて２つの光源モジュール１０，１１が双方とも発光(点灯)する。
【００２１】
また、電流容量の小さい方の電源装置２Ｂは、図１Ｂに示すように正極が入力端子１３に接続され、負極が入力端子１５に接続される。さらに、もう１つの電源装置２Ｂは、正極が入力端子１４に接続され、負極が入力端子１５に接続される。
【００２２】
発光ユニット１は、一方の電源装置２Ｂから入力端子１３，１５間に直流電圧が印加され、他方の電源装置２Ｂから入力端子１４，１５間に直流電圧が印加される。そして、発光ユニット１は、入力端子１３→光源モジュール１０→入力端子１５の経路と、入力端子１４→発光素子１２１→光源モジュール１１→入力端子１５の経路とで電流が流れて２つの光源モジュール１０，１１が双方とも発光(点灯)する。ただし、発光素子１２１に電流が流れるためにリレー接点１２０が開成(オフ)する。
【００２３】
ここで、一方の電源装置２Ｂが故障して入力端子１３，１５間に直流電圧が印加されなくなった場合、一方の光源モジュール１０が消灯する。しかしながら、他方の電源装置２Ｂが正常であれば、他方の光源モジュール１１は継続して点灯する。
【００２４】
また、他方の電源装置２Ｂが故障して入力端子１４，１５間に直流電圧が印加されなくなった場合、切換部１２の発光素子１２１に電流が流れなくなるため、リレー接点１２０が閉成(オン)する。その結果、２つの光源モジュール１０，１１がもう一方の電源装置２Ｂに並列接続されるため、この電源装置２Ｂが正常であれば、２つの光源モジュール１０，１１が双方とも点灯する。ただし、各光源モジュール１０，１１に流れる電流が減少するので、発光ユニット１の光量は減少する。
【００２５】
このように図１Ｂに示した照明装置は、２つの電源装置２Ｂ，２Ｂの何れか一方が故障して出力が停止した場合、少なくとも１個の光源モジュール１０，１１を継続して点灯させることができる。故に、図１Ｂに示す照明装置は、例えば、特許文献１に例示した従来例のように道路照明の用途(道路灯)に用いられることができる。
【００２６】
上述のように本実施形態の発光ユニット１は、固体発光素子(発光ダイオード)を光源とする複数の光源モジュール１０，１１と、複数の光源モジュール１０，１１の正極及び負極と各別に接続される複数の入力端子１３〜１５とを備える。また、本実施形態の発光ユニット１は、複数の入力端子１３〜１５同士の接続状態を２つの接続状態に切り換える切換部１２を備える。この切換部１２は、１つの電源装置２Ａから複数の入力端子１３，１５を介して複数の光源モジュール１０，１１へ給電可能とする接続状態を有する。また、この切換部１２は、複数の電源装置２Ｂから複数の入力端子１３〜１５を介して複数の光源モジュール１０，１１へ各別に給電可能とする接続状態を有する。そして、切換部１２は、前記２つの接続状態を択一的に切り換えるように構成される。
【００２７】
また、本実施形態の照明装置は、発光ユニット１と、発光ユニット１の入力端子１３〜１５に接続される１乃至複数の電源装置２Ａ，２Ｂとを有する。
【００２８】
本実施形態の発光ユニット１は上述のように構成されるので、１つの電源装置２Ａで全ての光源モジュール１０，１１を点灯させるような用途と、複数の光源モジュール１０，１１を複数の電源装置２Ｂで各別に点灯させるような用途とに用いられる。そのため、本実施形態の発光ユニット１は、従来例と比較して、用途の多様化を図ることができる。
【００２９】
また、本実施形態の発光ユニット１において、切換部１２は、１組の入力端子１３，１４に対して、複数の光源モジュール１０，１１の正極同士及び負極同士が並列に接続される接続状態に切り換えるように構成されることが好ましい。さらに、切換部１２は、複数の入力端子１３〜１５に対して、複数の光源モジュール１０，１１がそれぞれ各別に接続される接続状態に切り換えるように構成されることが好ましい。
【００３０】
上記構成によれば、２つの電源装置２Ｂのうちの何れの電源装置２Ｂが故障するかによって、発光ユニット１の点灯状態が異なるので、発光ユニット１の点灯状態から何れの電源装置２Ｂが故障したのかを判別することができる。
【００３１】
(実施形態２)
本実施形態の発光ユニット１は、図２及び図３に示すように２つの光源モジュール１０，１１が切換部１２を介して直列に接続されている点に特徴があり、その他の構成については実施形態１の発光ユニット１と共通である。故に、実施形態１と共通の構成要素には同一の符号を付して説明を省略する。
【００３２】
一方の光源モジュール１０は、入力端子１３に正極が接続され、入力端子１６とリレー接点１２０の一端に負極が接続される。また、他方の光源モジュール１１は、入力端子１５に負極が接続され、リレー接点１２０の他端に正極が接続される。また、切換部１２は、２つの光源モジュール１０，１１の負極と正極の間にリレー接点１２０が挿入され、発光素子１２１のアノードが入力端子１４に接続される。
【００３３】
一方、本実施形態の照明装置における電源装置２は、実施形態１と共通の電源装置２Ｂと、電流容量が等しく且つ出力電圧が電源装置２Ｂの２倍となる電源装置２Ｃとがある。
【００３４】
ここで、２種類の電源装置２Ｂ，２Ｃは、以下のようにして使い分けされる。すなわち、出力電圧の高い方の電源装置２Ｃは、図２に示すように正極が発光ユニット１の入力端子１３に接続され、負極が発光ユニット１の入力端子１５に接続される。ただし、発光ユニット１の入力端子１４，１６は何も接続されない。
【００３５】
発光ユニット１は、電源装置２Ｃから入力端子１３，１５間に直流電圧が印加される。そして、発光ユニット１は、入力端子１３→光源モジュール１０→リレー接点１２０→光源モジュール１１→入力端子１５の経路で電流が流れて２つの光源モジュール１０，１１が双方とも点灯する。
【００３６】
また、出力電圧の低い方の電源装置２Ｂは、図３に示すように正極が入力端子１３に接続され、負極が入力端子１６に接続される。さらに、もう１つの電源装置２Ｂは、正極が入力端子１４に接続され、負極が入力端子１５に接続される。
【００３７】
発光ユニット１は、一方の電源装置２Ｂから入力端子１３，１６間に直流電圧が印加され、他方の電源装置２Ｂから入力端子１４，１５間に直流電圧が印加される。そして、発光ユニット１は、入力端子１３→光源モジュール１０→入力端子１６の経路と、入力端子１４→発光素子１２１→光源モジュール１１→入力端子１５の経路とで電流が流れて２つの光源モジュール１０，１１が双方とも点灯する。ただし、発光素子１２１に電流が流れるためにリレー接点１２０が開成(オフ)する。
【００３８】
ここで、一方の電源装置２Ｂが故障して入力端子１３，１６間に直流電圧が印加されなくなった場合、一方の光源モジュール１０が消灯する。しかしながら、他方の電源装置２Ｂが正常であれば、他方の光源モジュール１１は継続して点灯する。
【００３９】
また、他方の電源装置２Ｂが故障して入力端子１４，１５間に直流電圧が印加されなくなった場合、他方の光源モジュール１１は消灯する。しかしながら、一方の電源装置２Ｂが正常であれば、一方の光源モジュール１０は継続して点灯する。なお、この場合、切換部１２の発光素子１２１に電流が流れなくなるため、リレー接点１２０が閉成(オン)する。
【００４０】
上述のように本実施形態の発光ユニット１において、切換部１２は、１組の入力端子１３，１５に対して、複数の光源モジュール１０，１１の正極同士及び負極同士が直列に接続される接続状態を有する。また、本実施形態の発光ユニット１において、切換部１２は、複数の入力端子１３〜１６に対して、複数の光源モジュール１０，１１がそれぞれ各別に接続される接続状態を有する。そして、切換部１２は、これらの接続状態を択一的に切り換えるように構成される。
【００４１】
上記構成によれば、２つの電源装置２Ｂのうちの何れの電源装置２Ｂが故障するかによって、２つの光源モジュール１０，１１の何れか一方のみが継続して点灯するので、何れの電源装置２Ｂが故障したのかを判別することができる。
【００４２】
(実施形態３)
本実施形態の発光ユニット１は、図４及び図５に示すように切換部１７の構成に特徴があり、その他の構成については実施形態１の発光ユニット１と共通である。故に、実施形態１と共通の構成要素には同一の符号を付して説明を省略する。
【００４３】
本実施形態における切換部１７は、固定接点１７０と、可動接触子１７１と、スペーサ１７２とを有する。固定接点１７０は、一端が入力端子１４に接続される。また、可動接触子１７１は、例えば、金属製の板ばねからなり、一方の光源モジュール１０の正極と接続される。スペーサ１７２は、合成樹脂などの絶縁性材料によって薄い板状に形成され、固定接点１７０と可動接触子１７１の間に挿抜自在に挿入される。
【００４４】
ここで、２種類の電源装置２Ａ，２Ｂは、以下のようにして使い分けされる。すなわち、電流容量の大きい方の電源装置２Ａは、図４に示すように正極が発光ユニット１の入力端子１３に接続され、負極が発光ユニット１の入力端子１５に接続される。また、切換部１７は、スペーサ１７２が挿入されずに固定接点１７０と可動接触子１７１が接触している。
【００４５】
発光ユニット１は、電源装置２Ａから入力端子１３，１５間に直流電圧が印加される。そして、発光ユニット１は、入力端子１３→光源モジュール１０→入力端子１５の経路と、入力端子１３→切換部１７→光源モジュール１１→入力端子１５の経路とで電流が流れて２つの光源モジュール１０，１１が双方とも発光(点灯)する。
【００４６】
また、電流容量の小さい方の電源装置２Ｂは、図５に示すように正極が入力端子１３に接続され、負極が入力端子１５に接続される。さらに、もう１つの電源装置２Ｂは、正極が切換部１７の固定接点１７０に接続され、負極が入力端子１５に接続される。さらに、切換部１７は、スペーサ１７２が挿入されて固定接点１７０と可動接触子１７１が離されている。
【００４７】
発光ユニット１は、一方の電源装置２Ｂから入力端子１３，１５間に直流電圧が印加され、他方の電源装置２Ｂから切換部１７の固定接点１７０を介して入力端子１４，１５間に直流電圧が印加される。そして、発光ユニット１は、入力端子１３→光源モジュール１０→入力端子１５の経路と、固定接点１７０→入力端子１４→光源モジュール１１→入力端子１５の経路とで電流が流れて２つの光源モジュール１０，１１が双方とも発光(点灯)する。
【００４８】
ここで、一方の電源装置２Ｂが故障して入力端子１３，１５間に直流電圧が印加されなくなった場合、一方の光源モジュール１０が消灯する。しかしながら、他方の電源装置２Ｂが正常であれば、他方の光源モジュール１１は継続して点灯する。
【００４９】
また、他方の電源装置２Ｂが故障して入力端子１４，１５間に直流電圧が印加されなくなった場合、他方の光源モジュール１１が消灯する。しかしながら、一方の電源装置２Ｂが正常であれば、一方の光源モジュール１０は継続して点灯する。
【００５０】
このように図５に示した発光ユニット１及び照明装置は、２つの電源装置２Ｂ，２Ｂの何れか一方が故障して出力が停止した場合、故障していない電源装置２Ｂに接続された光源モジュール１０，１１を継続して点灯させることができる。故に、図５に示す照明装置は、例えば、特許文献１に例示した従来例のように道路照明の用途(道路灯)に用いられることができる。
【符号の説明】
【００５１】
１  発光ユニット
２  電源装置
１０  光源モジュール
１１  光源モジュール
１２  切換部
１３  入力端子
１４  入力端子
１５  入力端子
１００  発光ダイオード(固体発光素子)
１１０  発光ダイオード(固体発光素子)
【図１】
2015118894.tif 000003
【図２】
2015118894.tif 000004
【図３】
2015118894.tif 000005
【図４】
2015118894.tif 000006
【図５】
2015118894.tif 000007